(57)【特許請求の範囲】
【請求項１】
上りリンク制御情報の受信に用いられる方法であって、ＣＳＩ参照リソースに関するタイプ２  ＣＳＩレポートを端末装置から受信するステップを備え、前記タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果および前記ＣＳＩプロセスと関連する構成されたＣＳＩ−ＩＭリソースにおける単一のサブフレームに基づく干渉測定結果から計算される、方法。
【請求項２】
上りリンク制御情報のレポートに用いられる方法であって、
ＣＳＩ参照リソースに関するタイプ２  ＣＳＩレポートを生成するステップと、
前記タイプ２  ＣＳＩレポートを基地局へ送信するステップとを備え、前記タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果および前記ＣＳＩプロセスと関連する構成されたＣＳＩ−ＩＭリソースにおける単一のサブフレームに基づく干渉測定結果から計算される方法。
【請求項３】
上りリンク制御情報を受信するように構成された基地局であって、
ＣＳＩ参照リソースに関するタイプ２  ＣＳＩレポートを端末装置から受信する受信部を備え、
前記タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果および前記ＣＳＩプロセスと関連する構成されたＣＳＩ−ＩＭリソースにおける単一のサブフレームに基づく干渉測定結果から計算される、
基地局。
【請求項４】
上りリンク制御情報をレポートするように構成された端末装置であって、
ＣＳＩ参照リソースに関するタイプ２  ＣＳＩレポートを生成して、前記タイプ２  ＣＳＩレポートを基地局へ送信する送信部を備え、
前記タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果および前記ＣＳＩプロセスと関連する構成されたＣＳＩ−ＩＭリソースにおける単一のサブフレームに基づく干渉測定結果から計算される、
端末装置。
【請求項５】
上りリンク制御情報の受信に用いられる方法であって、
端末装置からＣＳＩ参照リソースに関する第１  ＣＳＩレポートを受信し、
前記端末装置から前記ＣＳＩ参照リソースに関する第２  ＣＳＩレポートを受信し、
前記第２  ＣＳＩレポートは、ＣＳＩプロセスに関連する構成されたＣＳＩ−ＲＳリソース内の１つのサブフレーム上の非ゼロ電力ＣＳＩ−ＲＳのみに基づくチャネル測定結果および前記ＣＳＩプロセスと関連する構成されたＣＳＩ−ＩＭリソースにおける単一のサブフレームに基づく干渉測定結果から計算され、
前記第１  ＣＳＩレポートは、時間および周波数に制限されない観察間隔に基づくＣＳＩプロセスに関連する構成されたＣＳＩ−ＲＳリソース内の非ゼロ電力ＣＳＩ−ＲＳのみに基づくチャネル測定から計算される、方法。
【請求項６】
上りリンク制御情報のレポートに用いられる方法であって、
端末装置からＣＳＩ参照リソースに関する第１  ＣＳＩレポートを送信し、
前記端末装置から前記ＣＳＩ参照リソースに関する第２  ＣＳＩレポートを送信し、
前記第２  ＣＳＩレポートは、ＣＳＩプロセスに関連する構成されたＣＳＩ−ＲＳリソース内の１つのサブフレーム上の非ゼロ電力ＣＳＩ−ＲＳのみに基づくチャネル測定結果および前記ＣＳＩプロセスと関連する構成されたＣＳＩ−ＩＭリソースにおける単一のサブフレームに基づく干渉測定結果から計算され、
前記第１  ＣＳＩレポートは、時間および周波数に制限されない観察間隔に基づくＣＳＩプロセスに関連する構成されたＣＳＩ−ＲＳリソース内の非ゼロ電力ＣＳＩ−ＲＳのみに基づくチャネル測定から計算される、方法。
【請求項７】
上りリンク制御情報を受信するように構成された基地局であって、
端末装置からＣＳＩ参照リソースに関する第１  ＣＳＩレポートを受信し、
前記端末装置から前記ＣＳＩ参照リソースに関する第２  ＣＳＩレポートを受信する受信部を備え、
前記第２  ＣＳＩレポートは、ＣＳＩプロセスに関連する構成されたＣＳＩ−ＲＳリソース内の１つのサブフレーム上の非ゼロ電力ＣＳＩ−ＲＳのみに基づくチャネル測定結果および前記ＣＳＩプロセスと関連する構成されたＣＳＩ−ＩＭリソースにおける単一のサブフレームに基づく干渉測定結果から計算され、
前記第１  ＣＳＩレポートは、時間および周波数に制限されない観察間隔に基づくＣＳＩプロセスに関連する構成されたＣＳＩ−ＲＳリソース内の非ゼロ電力ＣＳＩ−ＲＳのみに基づくチャネル測定から計算される、基地局。
【請求項８】
上りリンク制御情報をレポートするように構成された端末装置であって、
ＣＳＩ参照リソースに関する第１  ＣＳＩレポートを送信し、
前記ＣＳＩ参照リソースに関する第２  ＣＳＩレポートを送信する
送信部を備え、
前記第２  ＣＳＩレポートは、ＣＳＩプロセスに関連する構成されたＣＳＩ−ＲＳリソース内の１つのサブフレーム上の非ゼロ電力ＣＳＩ−ＲＳのみに基づくチャネル測定結果および前記ＣＳＩプロセスと関連する構成されたＣＳＩ−ＩＭリソースにおける単一のサブフレームに基づく干渉測定結果から計算され、
前記第１  ＣＳＩレポートは、時間および周波数に制限されない観察間隔に基づくＣＳＩプロセスに関連する構成されたＣＳＩ−ＲＳリソース内の非ゼロ電力ＣＳＩ−ＲＳのみに基づくチャネル測定から計算される、端末装置。
【発明の詳細な説明】
【技術分野】
【０００１】
本発明は、一般に、ワイヤレス通信およびワイヤレス通信関連技術に関する。より具体的には、本発明は、チャネル状態測定およびレポーティングのためのシステムおよび方法に関する。
【背景技術】
【０００２】
ワイヤレス通信デバイスは、消費者ニーズを満たし、可搬性と便利さとを改善するために、より小さく、より強力になった。消費者は、ワイヤレス通信デバイスに依存するようになり、高信頼性のサービス、カバレッジエリアの拡大および機能性の向上を期待するようになった。ワイヤレス通信システムは、多数のセルに通信を提供し、それぞれのセルが基地局によるサービスを享受する。基地局は、移動局と通信する固定局である。
【０００３】
ワイヤレス通信システムでは、ワイヤレス通信の効率および品質を改善するために様々な信号処理技術が用いられる。上りリンク制御情報（ＵＣＩ：ｕｐｌｉｎｋ  ｃｏｔｒｏｌ  ｉｎｆｏｒｍａｔｉｏｎ）をワイヤレス通信デバイスによってレポートするための改善された方法により利益が得られる。
【発明の概要】
【課題を解決するための手段】
【０００４】
本発明の１つの態様は、上りリンク制御情報（ＵＣＩ）を受信するための方法を提供し、方法は、ＣＳＩ参照リソースに関するタイプ２チャネル状態情報（ＣＳＩ：ｃｈａｎｎｅｌ  ｓｔａｔｅ  ｉｎｆｏｒｍａｔｉｏｎ）レポートを端末装置（ＵＥ：ｕｓｅｒ  ｅｑｕｉｐｍｅｎｔ）から受信するステップを備え、タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果から計算される。
【０００５】
本発明の別の態様は、上りリンク制御情報（ＵＣＩ）をレポートするための方法を提供し、方法は、ＣＳＩ参照リソースに関するタイプ２チャネル状態情報（ＣＳＩ）レポートを生成するステップと、タイプ２  ＣＳＩレポートを基地局へ送信するステップとを備え、タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果から計算される。
【０００６】
本発明の別の態様は、上りリンク制御情報（ＵＣＩ）を受信するように構成された基地局を提供し、基地局は、プロセッサ、プロセッサと電子通信を行うメモリ、およびメモリに記憶された命令を備え、命令は、ＣＳＩ参照リソースに関するタイプ２チャネル状態情報（ＣＳＩ）レポートを端末装置（ＵＥ）から受信するために実行可能であり、タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果から計算される。
【０００７】
本発明の別の態様は、上りリンク制御情報（ＵＣＩ）をレポートするように構成された端末装置（ＵＥ）を提供し、ＵＥは、プロセッサ、プロセッサと電子通信を行うメモリ、およびメモリに記憶された命令を備え、命令は、ＣＳＩ参照リソースに関するタイプ２チャネル状態情報（ＣＳＩ）レポートを生成して、タイプ２  ＣＳＩレポートを基地局へ送信するために実行可能であり、タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果から計算される。
【図面の簡単な説明】
【０００８】
【図１】タイプ２  ＣＳＩレポーティングを利用するワイヤレス通信システムを示すブロック図である。
【図２】タイプ２測定／レポーティングのための方法のフロー図である。
【図３】タイプ２測定／レポーティングのための別の方法のフロー図である。
【図４】端末装置（ＵＥ）によって用いられるレイヤを示すブロック図である。
【図５】フレーム構造タイプ２のためのスロットおよびサブフレーム構造を示す。
【図６】周期的タイプ２  ＣＳＩ測定／レポーティングのためのＣＳＩ参照リソースを確定する手順を示す。
【図７】非周期的タイプ２  ＣＳＩ測定／レポーティングのためのＣＳＩ参照リソースを確定する手順を示す。
【図８】端末装置（ＵＥ）において利用される様々なコンポーネントを示す。
【図９】ｅＮＢにおいて利用される様々なコンポーネントを示す。
【発明を実施するための形態】
【０００９】
上りリンク制御情報（ＵＣＩ）を受信するための方法が記載される。ＣＳＩ参照リソースに関するタイプ２チャネル状態情報（ＣＳＩ）レポートが端末装置（ＵＥ）から受信される。タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果から計算される。
【００１０】
単一のサブフレームは、ＣＳＩ参照リソースのサブフレームである。上りリンクサブフレームｎにおいてレポートされるタイプ２  ＣＳＩレポートのためのＣＳＩ参照リソースは、有効な下りリンクサブフレームｎ−ｎＣＱＩ＿ｒｅｆによって定義される。有効な下りリンクサブフレームは、タイプ２  ＣＳＩレポートに関するチャネル測定のためのサブフレームのセット中にあってもよい。有効な下りリンクサブフレームは、非ゼロ電力参照信号が構成されたサブフレームのセット中にあってもよい。
【００１１】
有効な下りリンクサブフレームは、タイプ２チャネル測定のためのサブフレームのセットが構成されている場合には、タイプ２チャネル測定のためのサブフレームのセット中にある。有効な下りリンクサブフレームは、タイプ２チャネル測定のためのサブフレームのセットが構成されていない場合には、非ゼロ電力参照信号が構成されたサブフレームのセット中にある。タイプ２  ＣＳＩレポートは、周期的ＣＳＩレポートであってもよい。タイプ２  ＣＳＩレポーティングは、ＣＳＩプロセス構成中に構成される。タイプ２  ＣＳＩレポートは、同様に、非周期的ＣＳＩレポートであってもよい。下りリンク制御情報（ＤＣＩ：ｄｏｗｎｌｉｎｋ  ｃｏｎｔｒｏｌ  ｉｎｆｏｒｍａｔｉｏｎ）におけるフィールドは、タイプ２非周期的ＣＳＩレポーティングがトリガされるかどうかを指定する。タイプ２  ＣＳＩレポートは、構成されたＣＳＩプロセスに対応する。
【００１２】
上りリンク制御情報（ＵＣＩ）をレポートするための方法も記載される。タイプ２チャネル状態情報（ＣＳＩ）レポートは、ＣＳＩ参照リソースに関して生成される。タイプ２  ＣＳＩレポートは、基地局へ送信される。タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果から計算される。
【００１３】
上りリンク制御情報（ＵＣＩ）を受信するように構成された基地局が記載される。基地局は、プロセッサ、プロセッサと電子通信を行うメモリ、およびメモリに記憶された命令を含む。命令は、ＣＳＩ参照リソースに関するタイプ２チャネル状態情報（ＣＳＩ）レポートを端末装置（ＵＥ）から受信するために実行可能である。タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果から計算される。
【００１４】
上りリンク制御情報（ＵＣＩ）をレポートするように構成された端末装置（ＵＥ）も記載される。ＵＥは、プロセッサ、プロセッサと電子通信を行うメモリ、およびメモリに記憶された命令を含む。命令は、ＣＳＩ参照リソースに関するタイプ２チャネル状態情報（ＣＳＩ）レポートを生成するために実行可能である。命令は、タイプ２  ＣＳＩレポートを基地局へ送信するためにも実行可能である。タイプ２  ＣＳＩレポートは、ＣＳＩプロセスと関連する構成されたＣＳＩ−ＲＳリソース内における単一のサブフレーム上の非ゼロ電力参照信号に基づくチャネル測定結果から計算される。
【００１５】
「３ＧＰＰ」とも呼ばれる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術レポートを規定することを目指した連携合意である。３ＧＰＰは、次世代モバイル・ネットワーク、システムおよびデバイスに関する仕様を規定する。
【００１６】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００１７】
本明細書に開示されるシステムおよび方法の少なくともいくつかの態様は、３ＧＰＰ  ＬＴＥおよびＬＴＥアドバンスト規格（例えば、リリース８、リリース９、リリース１０およびリリース１１）に関して記載される。しかしながら、本開示の範囲は、この点で限定されるべきではない。本明細書に開示されるシステムおよび方法の少なくともいくつかの態様は、他のタイプのワイヤレス通信システムに利用されてもよい。
【００１８】
用語「同時の（ｓｉｍｕｌｔａｎｅｏｕｓ）」は、本明細書では、２つ以上の事象が重複したタイムフレームにおいて生じる状況を示すために用いられる。言い換えれば、２つの「同時の」事象は、時刻がある程度重複しうるが、必ずしも同じ継続時間ではない。そのうえ、同時の事象は、同時刻に始まるかまたは終わってもよく、あるいはそうでなくてもよい。
【００１９】
図１は、タイプ２  ＣＳＩレポーティングを利用するワイヤレス通信システム１００を示すブロック図である。無線フレーム中に上りリンクおよび下りリンク送信が編成される。２つの無線フレーム構造、すなわち、タイプ１（周波数分割多重（ＦＤＤ：ｆｒｅｑｕｅｎｃｙ  ｄｉｖｉｓｉｏｎ  ｄｕｐｌｅｘ）に適用可能）およびタイプ２（時分割多重（ＴＤＤ：ｔｉｍｅ  ｄｉｖｉｓｉｏｎ  ｄｕｐｌｅｘ）に適用可能）がサポートされる。タイプ２  ＣＳＩレポーティングは、単一のサブフレームにおけるチャネル測定と、単一のサブフレームにおける干渉測定とのいずれかのみまたは両方に基づく、ＣＳＩレポートに関するチャネル測定結果として定義される。以下では、タイプ２  ＣＳＩレポーティングを記載した詳細が示される。対照的に、タイプ１  ＣＳＩレポーティングは、時間および／または周波数に制限されない観察または測定に基づく、ＣＳＩレポートのためのチャネル測定結果として定義される。このように、タイプ１  ＣＳＩレポーティングは、複数の連続または不連続サブフレームにわたる参照信号に関するチャネル測定結果を含んだＣＳＩレポートを提供する。
【００２０】
タイプ１  ＣＳＩレポーティングのために測定されるサブフレームのいくつかは、参照信号を運ばないことがありうる。サブフレームのうちのいくつかが参照信号を運ばない、当該複数のサブフレームにおいてＵＥ１０４がチャネルを測定し、次にレポートを生成する際に両方の測定結果（例えば、測定結果の加重平均）を含めた場合には、生成されたレポートが誤った測定結果を含みかねない。従って、タイプ２  ＣＳＩレポーティングは、より正確で信頼性の高いＣＳＩレポートをｅＮＢ１０２に提供することが必要である。たとえサブフレームが上りリンク、下りリンクまたはスペシャルサブフレームであるかどうかをＵＥが知らなくても、ｅＮＢは、ＣＳＩレポートが下りリンクサブフレーム、上りリンクサブフレームまたはスペシャルサブフレーム上の測定結果に基づいて生成されたかどうかを認識しているため、得られるレポートは、ｅＮＢにとって有用である。
【００２１】
ｅＮＢ１０２は、１つ以上の端末装置（ＵＥ）１０４とワイヤレス通信を行う。ｅＮＢ１０２は、アクセスポイント、Ｎｏｄｅ  Ｂ、ｅｖｏｌｖｅｄ  Ｎｏｄｅ  Ｂ、基地局またはいくつかの他の用語で呼ばれることもある。同様に、端末装置（ＵＥ）１０４は、移動局、加入者局、アクセス端末、遠隔局、ユーザ端末、端末、ハンドセット、加入者ユニット、ワイヤレス通信デバイス、またはいくつかの他の用語で呼ばれることもある。
【００２２】
端末装置（ＵＥ）１０４とｅＮＢ１０２との間の通信は、上りリンクおよび下りリンクを含むワイヤレスリンクを通じた送信を用いて達成される。上りリンクとは、端末装置（ＵＥ）１０４からｅＮＢ１０２へ送信される通信を指す。下りリンクとは、ｅＮＢ１０２から端末装置（ＵＥ）１０４へ送信される通信を指す。通信リンクは、単一入力および単一出力（ＳＩＳＯ：ｓｉｎｇｌｅ−ｉｎｐｕｔ  ａｎｄ  ｓｉｎｇｌｅ−ｏｕｔｐｕｔ）、複数入力および単一出力（ＭＩＳＯ：ｍｕｌｔｉｐｌｅ−ｉｎｐｕｔ  ａｎｄ  ｓｉｎｇｌｅ−ｏｕｔｐｕｔ）、単一入力および複数出力（ＳＩＭＯ：ｓｉｎｇｌｅ−ｉｎｐｕｔ  ａｎｄ  ｍｕｌｔｉｐｌｅ−ｏｕｔｐｕｔ）または複数入力および複数出力（ＭＩＭＯ：ｍｕｌｔｉｐｌｅ−ｉｎｐｕｔ  ａｎｄ  ｍｕｌｔｉｐｌｅ−ｏｕｔｐｕｔ）システムを用いて確立される。ＭＩＭＯシステムは、複数の送受信アンテナを装備した送信機および受信機の両方を含む。従って、ｅＮＢ１０２は、複数のアンテナ１１０ａ〜ｎを有し、端末装置（ＵＥ）１０４は、複数のアンテナ１１２ａ〜ｎを有する。このように、ｅＮＢ１０２および端末装置（ＵＥ）１０４は、それぞれがいずれもＭＩＭＯシステムにおける送信機または受信機として動作する。ＭＩＭＯシステムの１つの利益は、複数の送受信アンテナによって作り出される追加の次元数が活用された場合に性能が向上することである。
【００２３】
端末装置（ＵＥ）１０４は、１つ以上の物理アンテナ１１２ａ〜ｎによって実現された、１つ以上のアンテナポートを用いてｅＮＢ１０２と通信する。端末装置（ＵＥ）１０４は、トランシーバ１３２、デコーダ１２４、エンコーダ１２８およびオペレーション・モジュール１１６を含む。トランシーバ１３２は、受信機１３３および送信機１３５を含む。受信機１３３は、１つ以上のアンテナ１１２ａ〜ｎを用いてｅＮＢ１０２から信号を受信する。例えば、受信機１３３は、信号を受信し、受信した信号を復調器１３４を用いて復調する。送信機１３５は、１つ以上の物理アンテナ１１２ａ〜ｎによって実現された、１つ以上のアンテナポートを用いてｅＮＢ１０２へ信号を送信する。例えば、送信機１３５は、変調器１３６を用いて信号を変調し、変調した信号を送信する。
【００２４】
受信機１３３は、復調した信号をデコーダ１２４へ供給する。端末装置（ＵＥ）１０４は、信号を復号するためにデコーダ１２４を用いて、下りリンク復号結果１２６を作成する。下りリンク復号結果１２６は、データが正しく受信されたかどうかを示す。例えば、下りリンク復号結果１２６は、パケットが正しくまたは誤って受信されたかどうか（すなわち、肯定応答、否定応答または不連続送信（信号なし））を示す。
【００２５】
オペレーション・モジュール１１６は、端末装置（ＵＥ）１０４の通信を制御するために用いられるソフトウェアおよび／またはハードウェア・モジュールである。例えば、オペレーション・モジュール１１６は、端末装置（ＵＥ）１０４がｅＮＢ１０２と通信するためのリソースをいつ必要とするかを確定する。
【００２６】
第３世代パートナーシップ・プロジェクト（３ＧＰＰ）ロング・ターム・エボリューション（ＬＴＥ）−アドバンストでは、ＭＩＭＯおよびキャリアアグリゲーションを受容するために、制御チャネル上で追加の制御フィードバックを送信することが必要となろう。キャリアアグリゲーションとは、連続してまたは離れて位置する複数のコンポーネントキャリア（ＣＣ：ｃｏｍｐｏｎｅｎｔ  ｃａｒｒｉｅｒ）（またはセル）上でデータを送信することを指す。キャリアアグリゲーション（ＣＡ：ｃａｒｒｉｅｒ  ａｇｇｒｅｇａｔｉｏｎ）においては、物理上りリンク制御チャネル（ＰＵＣＣＨ：ｐｈｙｓｉｃａｌ  ｕｐｌｉｎｋ  ｃｏｎｔｒｏｌ  ｃｈａｎｎｅｌ）を用いた送信のために、１つの上りリンク・コンポーネントキャリア（ＣＣ）（またはセル）（すなわち、ＰＣＣまたはＰＣｅｌｌ）のみが利用される。
【００２７】
適切な変調方式およびチャネル符号化率を選択するために、送信機は、送信機と受信機と間の無線リンクに関する情報（すなわち、チャネル状態情報（ＣＳＩ））を必要とする。ＣＳＩは、チャネル依存スケジューリングにも用いられる。ＦＤＤシステムでは、受信機のみが無線リンクチャネル状態を正確かつ確実に評価できる。下りリンク送信のために、基地局（例えば、ｅＮｏｄｅ  Ｂ、ｅＮＢ１０２、送信ポイント）は、シーケンス情報、アンテナポート情報ならびに送信電力だけでなく、時間および周波数リソースを含む信号をＵＥ１０４へ送信する。３ＧＰＰ仕様のリリース１１では、チャネル測定に用いられる１つの参照信号がＣＳＩ−ＲＳである。
【００２８】
端末装置（ＵＥ）１０４は、上りリンク制御情報（ＵＣＩ）を上りリンク上でｅＮＢ１０２へ送信する。上りリンク制御情報（ＵＣＩ）は、１つ以上のチャネル状態情報（ＣＳＩ）レポートを含む。ＣＳＩレポートは、タイプ１  ＣＳＩレポート１２０またはタイプ２  ＣＳＩレポート１２２であってもよい。チャネル状態情報（ＣＳＩ）レポートは、チャネル品質インジケータ（ＣＱＩ：ｃｈａｎｎｅｌ  ｑｕａｌｉｔｙ  ｉｎｄｉｃａｔｏｒ）、プリコーダ・マトリックス・インジケータ（ＰＭＩ：ｐｒｅｃｏｄｅｒ  ｍａｔｒｉｘ  ｉｎｄｉｃａｔｏｒ）、および／またはランク・インジケータ（ＲＩ：ｒａｎｋ  ｉｎｄｉｃａｔｏｒ）を含む。ランク・インジケータ（ＲＩ）は、下りリンク送信に好ましくは用いられるべき空間レイヤの推奨数を示す。プリコーダ・マトリックス・インジケータ（ＰＭＩ）は、下りリンク送信に用いられるべきプリコーダ・マトリックスを示す。プリコーダ・マトリックスは、ランク・インジケータ（ＲＩ）に示されたサポート・レイヤ数を考慮することによって確定される。ＣＱＩは、１０％以内のブロック誤り率でＰＤＳＣＨの送信に用いることができる最も効率の高い変調および符号化方式（ＭＣＳ：ｍｏｄｕｌａｔｉｏｎ  ａｎｄ  ｃｏｄｉｎｇ  ｓｃｈｅｍｅ）を示す。
【００２９】
ＣＳＩレポートは、非周期的レポーティングおよび／または周期的レポーティングを用いてｅＮＢ１０２へ送信される。非周期的ＣＳＩレポートは、（上りリンクＤＣＩ（下りリンク制御情報）におけるフィールドにより）明示的にリクエストされたときにＵＥ１０４によって送信される。周期的ＣＳＩレポートは、ＵＥ１０４により周期的に送信されるように（ネットワークとも呼ばれる）ｅＮＢ１０２によって構成される。
【００３０】
ＣＱＩインデックスおよびその解釈が下の表１に示される。
【００３１】
【表１】
0006462589.tif 000002
【００３２】
時間および周波数に制限されない観察間隔に基づいて、ＵＥ１０４は、上りリンクサブフレームｎにおいてレポートされるＣＱＩ値ごとに、ＣＱＩインデックスに対応する変調方式およびトランスポートブロック・サイズの組み合わせを用い、かつ一群の下りリンク物理リソースブロック（ＣＳＩ参照リソースと称される）を占有する単一の物理下りリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）のトランスポートブロックが、０．１を超えないトランスポートブロック誤り確率で受信されうるであろうという条件を満たす、１と１５との間の最大ＣＱＩインデックスを導出することが必要である。ＣＱＩインデックス１がこの条件を満たさない場合、ＵＥ１０４は、その代わりにＣＱＩインデックス０を用いる。
【００３３】
送信モード１０におけるＵＥ１０４は、上位レイヤ１１４によって在圏セルごとに１つ以上のＣＳＩプロセスを用いて構成できる。各ＣＳＩプロセスは、ＣＳＩ−ＲＳリソースおよびＣＳＩ干渉測定（ＣＳＩ−ＩＭ：ＣＳＩ−ｉｎｔｅｒｆｅｒｅｎｃｅ  ｍｅａｓｕｒｅｍｅｎｔ）リソースと関連づけられる。ＵＥ１０４によってレポートされるＣＳＩは、上位レイヤ１１４によって構成されたＣＳＩプロセスに対応する。
【００３４】
周波数領域では、ＣＳＩ参照リソースは、ＣＱＩ値が関係するバンドに対応する、一群の下りリンク物理リソースブロックによって定義される。時間領域では、在圏セルに対する単一の構成されたＣＳＩプロセスを伴う、送信モード１〜９または送信モード１０に設定されたＵＥ１０４に関して、ＣＳＩ参照リソースは、単一の下りリンクサブフレーム「ｎ−ｎＣＱＩ＿ｒｅｆ」によって定義される。周期的ＣＳＩレポーティングでは、「ｎＣＱＩ＿ｒｅｆ」は、サブフレーム「ｎ−ｎＣＱＩ＿ｒｅｆ」が有効な下りリンクサブフレームに対応するような、４以上の最小値である。非周期的ＣＳＩレポーティングでは、「ｎＣＱＩ＿ｒｅｆ」は、参照リソースが上りリンクＤＣＩフォーマット中の対応するＣＳＩリクエストと同じ有効な下りリンクサブフレーム中にあるような、「ｎＣＱＩ＿ｒｅｆ」である。非周期的ＣＳＩレポーティングでは、「ｎＣＱＩ＿ｒｅｆ」は、４に等しく、下りリンクサブフレーム「ｎ−ｎＣＱＩ＿ｒｅｆ」は、有効な下りリンクサブフレームに対応し、下りリンクサブフレーム「ｎ−ｎＣＱＩ＿ｒｅｆ」は、対応するＣＳＩリクエストをランダムアクセスレスポンスグラント中に含むサブフレームの後に受信される。
【００３５】
在圏セルに対する複数の構成されたＣＳＩプロセスを伴う、送信モード１０に設定されたＵＥ１０４に関して、所定のＣＳＩプロセスのためのＣＳＩ参照リソースは、単一の下りリンクサブフレーム「ｎ−ｎＣＱＩ＿ｒｅｆ」によって定義される。ＦＤＤおよび周期的または非周期的ＣＳＩレポーティングでは、「ｎＣＱＩ＿ｒｅｆ」は、下りリンクサブフレーム「ｎ−ｎＣＱＩ＿ｒｅｆ」が有効な下りリンクサブフレームに対応するような、５以上の最小値である。ＦＤＤおよび非周期的ＣＳＩレポーティングでは、「ｎＣＱＩ＿ｒｅｆ」は、５に等しく、下りリンクサブフレーム「ｎ−ｎＣＱＩ＿ｒｅｆ」は、有効な下りリンクサブフレームに対応し、下りリンクサブフレーム「ｎ−ｎＣＱＩ＿ｒｅｆ」は、対応するＣＳＩリクエストをランダムアクセスレスポンスグラント中に含むサブフレームの後に受信される。
【００３６】
２つまたは３つの構成されたＣＳＩプロセスおよび非周期的または周期的ＣＳＩレポーティングを伴うＴＤＤに関して、「ｎＣＱＩ＿ｒｅｆ」は、下りリンクサブフレーム「ｎ−ｎＣＱＩ＿ｒｅｆ」が有効な下りリンクサブフレームに対応するような、４以上の最小値である。２つまたは３つの構成されたＣＳＩプロセスおよび非周期的レポーティングを伴うＴＤＤでは、「ｎＣＱＩ＿ｒｅｆ」は、４に等しく、下りリンクサブフレーム「ｎ−ｎＣＱＩ＿ｒｅｆ」は、有効な下りリンクサブフレームに対応し、下りリンクサブフレーム「ｎ−ｎＣＱＩ＿ｒｅｆ」は、対応するＣＳＩリクエストをランダムアクセスレスポンスグラント中に含むサブフレームの後に受信される。
【００３７】
４つの構成されたＣＳＩプロセスおよび周期的または非周期的ＣＳＩレポーティングを伴うＴＤＤに関して、「ｎＣＱＩ＿ｒｅｆ」は、下りリンクサブフレーム「ｎ−ｎＣＱＩ＿ｒｅｆ」が有効な下りリンクサブフレームに対応するような、４以上の最小値である。４つの構成されたＣＳＩプロセスおよび非周期的ＣＳＩレポーティングを伴うＴＤＤでは、「ｎＣＱＩ＿ｒｅｆ」は、５に等しく、下りリンクサブフレーム「ｎ−ｎＣＱＩ＿ｒｅｆ」は、有効な下りリンクサブフレームに対応し、下りリンクサブフレーム「ｎ−ｎＣＱＩ＿ｒｅｆ」は、対応するＣＳＩリクエストをランダムアクセスレスポンスグラント中に含むサブフレームの後に受信される。
【００３８】
サブフレームｎにおいて上りリンクＤＣＩ（下りリンク制御情報）またはランダムアクセスレスポンスグラントのいずれかを復号すると、ＵＥ１０４は、それぞれのＣＳＩリクエスト・フィールドがレポートをトリガするようにセットされ、かつ予約されていなければ、在圏セル上でサブフレームｎ＋ｋにおける物理上りリンク共有チャネル（ＰＵＳＣＨ：ｐｈｙｓｉｃａｌ  ｕｐｌｉｎｋ  ｓｈａｒｅｄ  ｃｈａｎｎｅｌ）を用いて非周期的ＣＳＩレポーティングを行う。ＣＳＩリクエスト・フィールドが１ビットであり、ＣＳＩリクエスト・フィールドが１にセットされ、ＵＥ１０４が送信モード１〜９に設定されていれば、レポートが在圏セルに関してトリガされる。ＣＳＩリクエスト・フィールドが１ビットであり、ＵＥ１０４が送信モード１０に設定されていれば、レポートが在圏セルに対するＣＳＩプロセス（単数または複数）のセットに関してトリガされ、このセットは、上位レイヤ１１４によって構成されたＣＳＩプロセス（単数または複数）のセットに対応し、下の表１でＣＳＩリクエスト・フィールドの値と関連付けられる。
【００３９】
【表２】
0006462589.tif 000003
【００４０】
ＣＳＩリクエスト・フィールド・サイズが２ビットであり、ＵＥ１０４がすべての在圏セルに対して送信モード１〜９に設定されていれば、レポートが非周期的ＣＳＩレポーティングに対応する上の表２における値に従ってトリガされる。ＣＳＩリクエスト・フィールド・サイズが２ビットであり、ＵＥ１０４が少なくとも１つの在圏セルに対して送信モード１０に設定されていれば、レポートが非周期的ＣＳＩレポーティングに対応する下の表３における値に従ってトリガされる。所定の在圏セルに対して、ＵＥ１０４が送信モード１〜９に設定されていれば、表３における「ＣＳＩプロセス」は、その所定の在圏セル上のＵＥ１０４に関して構成された非周期的ＣＳＩを指す。表３におけるＣＳＩプロセス（単数または複数）の第１および第２の各セットでは、ＵＥ１０４が上位レイヤ１１４によって５つより多いＣＳＩプロセスを用いて構成されることは想定されない。
【００４１】
【表３】
0006462589.tif 000004
【００４２】
上りリンクＤＣＩフォーマットからのＣＳＩリクエスト・フィールドがレポートをトリガするようにセットされているとき、ＦＤＤではｋ＝４であり、ＴＤＤ  ＵＬ／ＤＬ構成１〜６では、ｋは、下の表４に示される。ＴＤＤ  ＵＬ／ＤＬ構成は、サブフレームが上りリンク、下りリンクまたはスペシャルサブフレームであるかどうかを示す構成である。ＴＤＤ  ＵＬ／ＤＬ構成０では、上りリンク・インデックスの最上位ビット（ＭＳＢ：ｍｏｓｔ  ｓｉｇｎｉｆｉｃａｎｔ  ｂｉｔ）が１にセットされ、上りリンク・インデックスの最下位ビット（ＬＳＢ：ｌｅａｓｔ  ｓｉｇｎｉｆｉｃａｎｔ  ｂｉｔ）が０にセットされた場合、ｋは、下の表５に示される。
【００４３】
【表４】
0006462589.tif 000005
【００４４】
【表５】
0006462589.tif 000006
【００４５】
上りリンク・インデックスの最上位ビット（ＭＳＢ）が０にセットされ、上りリンク・インデックスの最下位ビット（ＬＳＢ）が１にセットされた場合、ｋは、７に等しい。上りリンク・インデックスの最上位ビット（ＭＳＢ）および最下位ビット（ＬＳＢ）の両方が１にセットされた場合、ｋは、表４に示される。ＴＤＤに関して、ＵＥ１０４が１つより多い在圏セルで構成され、少なくとも２つの在圏セルのＵＬ／ＤＬ構成が異なる場合、表４に示されるＴＤＤ  ＵＬ／ＤＬ構成は、ＵＬ−参照ＵＬ／ＤＬ構成を指す。
【００４６】
ランダムアクセスレスポンスグラントからのＣＳＩリクエスト・フィールドがレポートをトリガするようにセットされ、かつ予約されていないとき、上りリンク遅延フィールドがゼロにセットされていれば、「ｋ」は、「ｋ１」に等しい。ＵＬ遅延フィールドが１にセットされていれば、ＵＥ１０４は、非周期的ＣＳＩレポーティングを次の利用可能な上りリンクサブフレームまで延期する。
【００４７】
ＵＥ１０４は、種々のＣＳＩコンポーネント（ＣＱＩ、ＰＭＩ、ＰＴＩ、および／またはＲＩ）を物理上りリンク制御チャネル（ＰＵＣＣＨ）上で周期的にフィードバックするために上位レイヤ１１４によって準静的に構成されてもよい。送信モード１０におけるＵＥ１０４は、ＰＵＣＣＨ上の在圏セルごとに１つ以上のＣＳＩプロセスに対応する複数の周期的ＣＳＩレポートのために上位レイヤ１１４によって構成できる。
【００４８】
以下に示される情報要素ＣＱＩ−ＲｅｐｏｒｔＣｏｎｆｉｇは、ＣＱＩレポーティング構成を指定するために用いられる。
【数１】
0006462589.tif 000007
ＣＱＩ−ＲｅｐｏｒｔＣｏｎｆｉｇ情報要素
【００４９】
「ＭｅａｓＳｕｂｆｒａｍｅＰａｔｔｅｒｎ−ｒ１０」は、サイズが２０、４０、６０、または７０ビットのビットマップである。ビットマップ中の各ビットは、１つのサブフレームを表す。各ビットの値は、そのサブフレームが測定セットに属するか否かを確定する。例えば、１が包含を示し、０が除外を示す。
【００５０】
上りリンク制御情報（ＵＣＩ）（例えば、ＣＳＩレポート）は、上りリンク制御情報（ＵＣＩ）レポーティング・モジュール１１８によって生成されて、エンコーダ１２８へ転送される。エンコーダ１２８は、次に、上りリンク制御情報（ＵＣＩ）を送信機１３５に提供する。
【００５１】
時間−周波数グリッドとして知られるグリッドを作り出すために、時間および周波数リソースが量子化される。時間領域では、１０ミリ秒（ｍｓ）が１無線フレームと呼ばれる。１無線フレームは、１０サブフレームを含み、それぞれのサブフレームの継続時間は、上りリンクおよび／または下りリンクにおける送信の継続時間である１ｍｓである。すべてのサブフレームは、継続時間がそれぞれ０．５ｍｓの２つのスロットに分割される。各スロットは、７シンボルに分割される。周波数領域は、サブキャリアと呼ばれる１５キロヘルツ（ｋＨｚ）幅のバンドに分割される。１リソース要素は、時間領域における１シンボルの継続時間と周波数領域における１サブキャリアのバンド幅とを有する。
【００５２】
上りリンクまたは下りリンクにおける情報の送信に割り当てることができるリソースの最小量は、いずれのサブフレームでも２リソースブロック（ＲＢ：ｒｅｓｏｕｒｃｅ  ｂｌｏｃｋ）であり、各スロットが１ＲＢである。１ＲＢは、時間領域における０．５ｍｓ（７シンボルまたは１スロット）の継続時間と周波数領域における１２サブキャリア（１８０ｋＨｚ）のバンド幅とを有する。いずれのサブフレームでも、物理上りリンク制御チャネル（ＰＵＣＣＨ）での上りリンク制御情報（ＵＣＩ）の送信のために、所定の端末装置（ＵＥ）１０４によって最大２ＲＢ（各スロットに１ＲＢ）を用いることができる。
【００５３】
ＬＴＥリリース８では、各端末装置（ＵＥ）１０４との送受信のために、１つの上りリンク・コンポーネントキャリア（ＣＣ）１０６または在圏セル１０７および１つの下りリンク・コンポーネントキャリア（ＣＣ）１０８または在圏セル１０７のみを用いることができる。
【００５４】
３ＧＰＰロング・ターム・エボリューション（ＬＴＥ）リリース１０（ＬＴＥ−ＡまたはアドバンストＥＵＴＲＡＮ）において、キャリアアグリゲーションが導入された。キャリアアグリゲーションは、セルアグリゲーションとも呼ばれる。キャリアアグリゲーションは、上りリンクおよび下りリンクの両方ともに５つまでのコンポーネントキャリア（ＣＣ）１０６、１０８によってサポートされる。各コンポーネントキャリア（ＣＣ）１０６、１０８またはセル１０７は、１１０個までのリソースブロック（すなわち、２０メガヘルツ（ＭＨｚ）まで）の送信バンド幅を有する。キャリアアグリゲーションでは、１００メガヘルツ（ＭＨｚ）までのより広い送信バンド幅をサポートするために、２つ以上のコンポーネントキャリア（ＣＣ）１０６、１０８が集約される。端末装置（ＵＥ）１０４は、端末装置（ＵＥ）１０４の能力に依存して、１つまたは複数のコンポーネントキャリア（ＣＣ）１０６、１０８上で同時に受信および／または送信できる。
【００５５】
端末装置（ＵＥ）１０４は、複数のコンポーネントキャリア（ＣＣ）１０８を同時刻に用いてｅＮＢ１０２と通信する。例えば、端末装置（ＵＥ）１０４は、プライマリセル（ＰＣｅｌｌ：ｐｒｉｍａｒｙ  ｃｅｌｌ）１０７ａを用いてｅＮＢ１０２と通信し、一方で同時にセカンダリセル（単数または複数）（ＳＣｅｌｌ：ｓｅｃｏｎｄａｒｙ  ｃｅｌｌ）１０７ｂを用いてｅＮＢ１０２と通信する。同様に、ｅＮＢ１０２は、複数のコンポーネントキャリア（ＣＣ）１０８を同時刻に用いて端末装置（ＵＥ）１０４と通信する。例えば、ｅＮＢ１０２は、プライマリセル（ＰＣｅｌｌ）１０７ａを用いて端末装置（ＵＥ）１０４と通信し、一方で同時にセカンダリセル（単数または複数）（ＳＣｅｌｌ）１０７ｂを用いて端末装置（ＵＥ）１０４と通信する。
【００５６】
ｅＮＢ１０２は、受信機１３８および送信機１４０を含んだトランシーバ１３７を含む。加えて、ｅＮＢ１０２は、デコーダ１４２、エンコーダ１４４およびオペレーション・モジュール１４６を含む。ｅＮＢ１０２は、１つ以上の物理アンテナ１１０ａ〜ｎおよびその受信機１３８によって実現される、その１つ以上のアンテナポートを用いて、上りリンク制御情報（ＵＣＩ）１２１を受信する。受信機１３８は、上りリンク制御情報（ＵＣＩ）１２１を復調するために復調器１３９を用いる。
【００５７】
デコーダ１４２は、上りリンク制御情報（ＵＣＩ）受信モジュール１４３を含む。ｅＮＢ１０２は、ｅＮＢ１０２によって受信した上りリンク制御情報（ＵＣＩ）１２１を復号して翻訳するために、上りリンク制御情報（ＵＣＩ）受信モジュール１４３を用いる。ｅＮＢ１０２は、端末装置（ＵＥ）１０４のためにスケジュールされた通信リソースに基づいて、１つ以上のパケットを再送信するなど、いくつかのオペレーションを行うために、復号した上りリンク制御情報（ＵＣＩ）１２１を用いる。
【００５８】
オペレーション・モジュール１４６は、再送信モジュール１４７およびスケジューリング・モジュール１４８を含む。再送信モジュール１４７は、上りリンク制御情報（ＵＣＩ）１２１に基づいて（もしあれば）どのパケットを再送信すべきかを確定する。スケジューリング・モジュール１４８は、通信リソース（例えば、バンド幅、時間スロット、周波数チャネル、空間チャネルなど）をスケジュールするためにｅＮＢ１０２によって用いられる。スケジューリング・モジュール１４８は、端末装置（ＵＥ）１０４のための通信リソースをスケジュールすべきかどうか（およびいつすべきか）を確定するために上りリンク制御情報（ＵＣＩ）１２１を用いる。
【００５９】
オペレーション・モジュール１４６は、データ１４５をエンコーダ１４４へ供給する。例えば、データ１４５は、再送信のためのパケットおよび／または端末装置（ＵＥ）１０４に対するスケジューリンググラントを含む。エンコーダ１４４は、データ１４５を符号化し、次に、それが送信機１４０へ供給される。送信機１４０は、変調器１４１を用いて符号化データを変調する。送信機１４０は、１つ以上の物理アンテナ１１０ａ〜ｎによって実現される、１つ以上のアンテナポートを用いて変調データを端末装置（ＵＥ）１０４へ送信する。
【００６０】
キャリアアグリゲーションが構成されているとき、端末装置（ＵＥ）１０４は、ネットワークと１つだけの無線リソース制御（ＲＲＣ：ｒａｄｉｏ  ｒｅｓｏｕｒｃｅ  ｃｏｎｔｒｏｌ）接続を有する。無線リソース制御（ＲＲＣ）接続の確立／再確立／ハンドオーバのときには、１つの在圏セル１０７（すなわち、プライマリセル（ＰＣｅｌｌ）１０７ａ）が非アクセス層（ＮＡＳ：ｎｏｎ−ａｃｃｅｓｓ  ｓｔｒａｔｕｍ）モビリティ情報（例えば、トラッキングエリア識別子（ＴＡＩ：Ｔｒａｃｋｉｎｇ  Ａｒｅａ  Ｉｄｅｎｔｉｔｙ））およびセキュリティ入力を供給する。
【００６１】
下りリンクでは、プライマリセル（ＰＣｅｌｌ）１０７ａに対応するコンポーネントキャリア（ＣＣ）１０８は、下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）１０８ａである。上りリンクでは、プライマリセル（ＰＣｅｌｌ）１０７ａに対応するコンポーネントキャリア（ＣＣ）１０６は、上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）１０６ａである。端末装置（ＵＥ）１０４の能力に依存して、プライマリセル（ＰＣｅｌｌ）１０７ａとともに在圏セルのセットを形成するために、１つ以上のセカンダリコンポーネントキャリア（ＳＣＣ：ｓｅｃｏｎｄａｒｙ  ｃｏｍｐｏｎｅｎｔ  ｃａｒｒｉｅｒ）１０６ｂ、１０８ｂまたはセカンダリセル（ＳＣｅｌｌ）１０７ｂが構成される。下りリンクでは、セカンダリセル（ＳＣｅｌｌ）１０７ｂに対応するコンポーネントキャリア（ＣＣ）１０８は、下りリンク・セカンダリコンポーネントキャリア（ＤＬ  ＳＣＣ：ｄｏｗｎｌｉｎｋ  ｓｅｃｏｎｄａｒｙ  ｃｏｍｐｏｎｅｎｔ  ｃａｒｒｉｅｒ）１０８ｂである。上りリンクでは、セカンダリセル（ＳＣｅｌｌ）１０７ｂに対応するコンポーネントキャリア（ＣＣ）１０６は、上りリンク・セカンダリコンポーネントキャリア（ＵＬ  ＳＣＣ：ｕｐｌｉｎｋ  ｓｅｃｏｎｄａｒｙ  ｃｏｍｐｏｎｅｎｔ  ｃａｒｒｉｅｒ）１０６ｂである。複数のセルが１つの上りリンク・コンポーネントキャリア（ＣＣ）１０６を共有するため、下りリンク・コンポーネントキャリア（ＣＣ）１０８の数は、上りリンク・コンポーネントキャリア（ＣＣ）１０６の数とは異なってもよい。
【００６２】
キャリアアグリゲーションが構成されている場合、端末装置（ＵＥ）１０４は、複数の在圏セル、すなわち、１つのプライマリセル（ＰＣｅｌｌ）１０７ａと１つ以上のセカンダリセル（ＳＣｅｌｌ）１０７ｂを有する。ネットワークの視点からは、在圏セル１０７は、１つの端末装置（ＵＥ）１０４によってプライマリセル（ＰＣｅｌｌ）１０７ａとして用いられ、別の端末装置（ＵＥ）１０４によってセカンダリセル（ＳＣｅｌｌ）１０７ｂとして用いられてもよい。キャリアアグリゲーションが構成されていない場合には、プライマリセル（ＰＣｅｌｌ）１０７ａが単一の在圏セルを動作させる。キャリアアグリゲーションが構成されている場合、プライマリセル（ＰＣｅｌｌ）１０７ａに加えて１つ以上のセカンダリセル（ＳＣｅｌｌ）１０７ｂがあってもよい。キャリアアグリゲーションを用いる１つの利益は、追加の下りリンクおよび／または上りリンク・データを送信できることである。追加の下りリンク・データの結果として、追加の上りリンク制御情報（ＵＣＩ）が必要とされる。
【００６３】
ＵＥ１０４は、ＲＲＣ（無線リソース制御）接続が確立されているときにＲＲＣ＿ＣＯＮＮＥＣＴＥＤ状態にある。ＲＲＣ接続が何も確立されなかった場合には、ＵＥ１０４は、ＲＲＣ＿ＩＤＬＥ状態にある。
【００６４】
送信機および受信機において複数のアンテナポートを用いることによって、各在圏セル１０７上で多数の空間チャネルが利用可能である。それゆえに、複数の符号語（２つまでの符号語）を同時に送信できる。
【００６５】
チャネル状態情報（ＣＳＩ）レポートは、端末装置（ＵＥ）１０４における既存のチャネル状態に基づいて伝送速度（変調方式および符号化率）を動的に調整するようにｅＮＢ１０２に通知するために用いられる。例えば、チャネル状態情報（ＣＳＩ）レポートが端末装置（ＵＥ）１０４における良好なチャネル品質を示す場合、ｅＮＢ１０２は、より高次の変調および符号化率を選択し、その結果、物理下りリンク共有チャネル（ＰＤＳＣＨ）上でのデータの下りリンク送信に関してより高い伝送速度を達成できる。チャネル状態情報（ＣＳＩ）レポートが端末装置（ＵＥ）１０４における不十分なチャネル品質を示す場合には、ｅＮＢ１０２は、より低次の変調および符号化率を選択し、その結果、送信に関してより高い信頼性を達成できる。
【００６６】
タイプ１  ＣＳＩ測定／レポーティング（３ＧＰＰ仕様のリリース１１において用いられる既存の測定）では、送信モード１０におけるＵＥ１０４は、ＣＳＩプロセスと関連する構成されたＣＳＩ−ＲＳ内における非ゼロ電力ＣＳＩ−ＲＳのみに基づく、（ＣＳＩプロセスに対応する）上りリンクサブフレームｎでレポートされるＣＱＩ値を計算するためのチャネル測定結果を導出する。しかしながら、サブフレームｎが無線フレームｋではＣＳＩ−ＲＳを運び、無線フレームｋ＋ｍではＣＳＩ−ＲＳを運ばないことがありうる。ＵＥ１０４が両方のサブフレームにおいてチャネルを測定し、レポートを生成する際に両方の測定結果（例えば、測定結果の加重平均）を含めた場合には、生成されたレポートが誤った測定結果を含む。
【００６７】
タイプ２  ＣＳＩ測定／レポーティングの使用は、ＣＳＩ−ＲＳがＣＳＩレポートに対応するサブフレーム上で送信されるかどうかに係わらず、ｅＮＢ１０２に有意義で信頼性の高いレポートを提供する。そのうえ、ｅＮＢ１０２は、ＣＳＩ−ＲＳの送信をｅＮＢ１０２がスケジュールするため、レポートされる測定結果が有効なチャネル状態測定結果であるか、または干渉測定結果に過ぎないかどうかを認識している。
【００６８】
ＵＥ１０４は、複数のＣＳＩプロセスを用いて構成されてもよい。送信モード１０におけるＵＥ１０４は、上位レイヤ１１４によって在圏セルごとに１つ以上のＣＳＩプロセスを用いて構成できる。各ＣＳＩプロセスは、ＣＳＩ−ＲＳリソース（ＣＳＩ−ＲＳの送信に割り当てられる時間および周波数リソース、ＣＳＩ−ＲＳシーケンス、ＣＳＩ−ＲＳが送信されるアンテナポート、およびＣＳＩ−ＲＳの送信電力を含む）と、さらにＣＳＩ−干渉測定（ＣＳＩ−ＩＭ）リソース（ＵＥが干渉測定を行うべき時間および周波数リソースを含む）と関連付けられる。各ＣＳＩプロセスは、さらに、周期的および非周期的レポーティングのための構成、例えば、ＣＱＩフォーマット（サブバンドまたは広帯域ＣＱＩ）、リソース・インデックス（Ｓ１またはＳ２）、周期的レポートの周期、周期的レポートと関連するサブフレーム・オフセットなどを含む、レポーティング構成と関連付けられる。簡潔さのために、構成されたＣＳＩリソースと周期的および非周期的ＣＳＩレポーティング構成とを用いた１つのＣＳＩプロセスのみが考慮される。
【００６９】
１つの構成では、同じＣＳＩプロセスがタイプ１測定／レポーティングおよびタイプ２測定／レポーティングの両方に用いられる。測定設定は、準静的、動的、または周期的であってもよい。測定設定が準静的であれば、この設定は、ＣＳＩプロセスにおけるタイプ２測定／レポーティングを可能にする。タイプ２チャネル測定のためのサブフレームのセットが構成されてもよい。
【００７０】
測定設定が動的であれば、タイプ２非周期的ＣＳＩレポーティングに関してトリガリングが用いられてもよい。この構成では、上りリンクＤＣＩ（例えば、ＤＣＩフォーマット０またはＤＣＩフォーマット４）中の（１ビットもしくは２ビットであってもよい）フィールドがタイプ２非周期的レポーティングがトリガされるかどうかを指定する。
【００７１】
下りリンク制御情報は、ＤＣＩとして知られる予め指定された長さのパケットで送信される。ＤＣＩは、ＰＤＣＣＨまたは拡張型物理下りリンク制御チャネル（ＥＰＤＣＣＨ：ｅｎｈａｎｃｅｄ  ｐｈｙｓｉｃａｌ  ｄｏｗｎｌｉｎｋ  ｃｏｎｔｒｏｌ  ｃｈａｎｎｅｌ）によって運ばれる。ＤＣＩは、異なる情報を運んでもよい。例えば、１つのＤＣＩが複数のＵＥ１０４に下りリンク・リソース割り当てについて通知するために用いられてもよく、別のＤＣＩが特定のＵＥ１０４に上りリンク・リソース割り当てについて通知するために用いられてもよい。ＤＣＩの機能に依存して、異なるＤＣＩが異なる長さを有してもよい。異なるＤＣＩは、ＤＣＩがフォーマットおよび符号化されるＤＣＩフォーマットと呼ばれる方法によって区別される。ＤＣＩは、下りリンクまたは上りリンク・スケジューリング情報、周期的ＣＱＩレポートに対するリクエスト、マルチキャスト制御チャネル（ＭＣＣＨ：ｍｕｌｔｉｃａｓｔ  ｃｏｎｔｒｏｌ  ｃｈａｎｎｅｌ）変更の通知、または１つのセルおよび１つの無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）に関する上りリンク電力制御コマンドを伝送するために用いることができる。ＲＮＴＩは、巡回冗長検査（ＣＲＣ：ｃｙｃｌｉｃ  ｒｅｄｕｎｄａｎｃｙ  ｃｈｅｃｋ）で暗黙的に符号化される。
【００７２】
上りリンクＤＣＩは、上りリンク送信のためのリソースを割り当てる。上りリンクＤＣＩは、上りリンクグラント（例えば、ＤＣＩフォーマット０／４）とも呼ばれる。下りリンクＤＣＩは、下りリンク送信のためのリソースを割り当てる。下りリンクＤＣＩは、下りリンクグラント（例えば、ＤＣＩフォーマット１／１Ａ／２／２Ａ／２Ｂ／２Ｃ／２Ｄ）とも呼ばれる。
【００７３】
ＤＣＩ中のビットフィールドは、ＵＣＩにどのタイプ（すなわち、タイプ１および／またはタイプ２）のレポートを含めるべきかを示す。ビットフィールドは、複数のビット（例えば、１つ以上のＣＳＩプロセスに対応するＣＳＩレポートのセットに関する２ビット、タイプ２トリガに関する１ビットなど）を含んでもよい。タイプ１非周期的ＣＳＩレポーティングがトリガされた場合、ＵＥ１０４は、ＵＣＩに１つのタイプ１  ＣＳＩレポート１２０を含める必要がある。タイプ２非周期的ＣＳＩレポーティングがトリガされた場合には、ＵＥ１０４は、ＣＳＩプロセスのセット内におけるＣＳＩプロセスごとに（予め定義されるかまたはＲＲＣによってシグナリングされた）特定の数のタイプ２  ＣＳＩレポート１２２および１つのタイプ１  ＣＳＩレポート１２０を、ＵＣＩに含む対応するＣＳＩレポートとともに含める必要がある。
【００７４】
測定設定が周期的であれば、ＵＥ１０４は、ＣＳＩレポートを周期的に生成してｅＮＢ１０２へ送信する。タイプ１周期的ＣＳＩレポーティングに関しては、サブフレーム・セットＳ１のための周期および相対的レポーティング・オフセット、ならびにサブフレーム・セットＳ２のための周期および相対的レポーティング・オフセットがＣＳＩプロセスごとに設定される。タイプ２周期的ＣＳＩレポーティングに関しては、追加の周期および相対的レポーティング・オフセットがＣＳＩプロセスごとに設定される。
【００７５】
別の構成では、タイプ１測定／レポーティングおよびタイプ２測定／レポーティングに２つのＣＳＩプロセスが用いられる。一方のＣＳＩプロセスは、タイプ１  ＣＳＩレポーティングに専用であり、他方のＣＳＩプロセスは、タイプ２  ＣＳＩレポーティングに専用である。測定設定が準静的であれば、ＣＳＩプロセス構成は、タイプ１  ＣＳＩレポーティングまたはタイプ２  ＣＳＩレポーティングのいずれかの構成を含む。そのうえ、タイプ２  チャネル測定のためのサブフレームのセットが構成されてもよい。
【００７６】
タイプ２非周期的ＣＳＩレポーティングに関するトリガリングがＤＣＩに含められる。ＤＣＩ中のビットフィールドは、ＵＣＩにどのＣＳＩプロセスが含められるべきかを示す。トリガされるＣＳＩプロセスがタイプ２非周期的ＣＳＩレポーティングのためであれば、ＵＥ１０４は、Ｘ個のタイプ２レポートを含める必要がある（Ｘは、予め定義されるか、またはＲＲＣによってシグナリングされる）。
【００７７】
タイプ１周期的ＣＳＩレポーティングのためのＣＳＩプロセスに関しては、サブフレーム・セット１（Ｓ１）のための周期および相対的レポーティング・オフセットならびにサブフレーム・セット２（Ｓ２）のための周期および相対的レポーティング・オフセットが設定される。タイプ２周期的ＣＳＩレポーティングのためのＣＳＩプロセスに関しては、周期および相対的レポーティング・オフセットが設定される。
【００７８】
図２は、タイプ２測定／レポーティングのための方法２００のフロー図である。方法２００は、ＵＥ１０４によって行われる。ＵＥ１０４は、非ゼロ参照信号を下りリンクチャネル上で受信する（ステップ２０２）。ＵＥ１０４は、単一のサブフレームについて下りリンクチャネルを測定する（ステップ２０４）。ＵＥ１０４は、次に、単一のサブフレームについて測定された下りリンクチャネルに基づいて、ＣＳＩ参照リソースに関するタイプ２  ＣＳＩレポート１２２を生成する。タイプ２  ＣＳＩレポート１２２は、ＣＳＩプロセスと関連する構成されたＣＳＩ−ＲＳリソース内における単一のサブフレーム上の非ゼロ参照信号に基づくチャネル測定結果から計算される。ＵＥ１０４は、タイプ２  ＣＳＩレポートをｅＮＢ１０２へ送信する（ステップ２０８）。
【００７９】
図３は、タイプ２測定／レポーティングのための別の方法３００のフロー図である。方法３００は、ｅＮＢ１０２によって行われる。ｅＮＢ１０２は、参照信号を下りリンクチャネル上でＵＥ１０４へ送信する（ステップ３０２）。ｅＮＢ１０２は、ＣＳＩ参照リソースに関するタイプ２  ＣＳＩレポート１２２をＵＥ１０４から受信する（ステップ３０４）。タイプ２  ＣＳＩレポート１２２は、ＣＳＩプロセスと関連する構成されたＣＳＩ−ＲＳリソース内における単一のサブフレーム上の非ゼロ参照信号に基づくチャネル測定結果から計算される。ｅＮＢ１０２は、ＣＳＩ参照リソースに関するタイプ２  ＣＳＩレポート１２２に基づいてリソースをスケジュールする（ステップ３０６）。
【００８０】
図４は、端末装置（ＵＥ）４０４によって実現されるレイヤを示すブロック図である。図４の端末装置（ＵＥ）４０４は、図１の端末装置（ＵＥ）１０４の一構成であってもよい。端末装置（ＵＥ）４０４は、無線リソース制御（ＲＲＣ：ｒａｄｉｏ  ｒｅｓｏｕｒｃｅ  ｃｏｎｔｒｏｌ）レイヤ４５０、無線リンク制御（ＲＬＣ：ｒａｄｉｏ  ｌｉｎｋ  ｃｏｎｔｒｏｌ）レイヤ４５１、媒体アクセス制御（ＭＡＣ：ｍｅｄｉｕｍ  ａｃｃｅｓｓ  ｃｏｎｔｒｏｌ）レイヤ４５２および物理（ＰＨＹ）レイヤ４５３を含む。ＲＲＣレイヤ４５０、ＲＬＣレイヤ４５１およびＭＡＣレイヤ４５２は、上位レイヤ１１８と呼ばれる。主に本明細書に記載される手順は、ＰＨＹレイヤ４５３に関係する。本明細書では、語句「上位レイヤによって構成される」は、ＰＨＹレイヤ４５３が上位レイヤによって構成されることを意味する。端末装置（ＵＥ）４０４は、図４に示されない追加のレイヤを含んでもよい。
【００８１】
図５は、フレーム構造タイプ２のためのスロットおよびサブフレーム構造を示す。フレーム構造タイプ２は、ＴＤＤに適用できる。
Ｔｆ＝３０７２００・Ｔｓ＝１０ｍｓ
の長さの各無線フレーム５５４は、それぞれが
１５３６００・Ｔｓ＝５ｍｓ
の長さの２つのハーフフレームを含む。各ハーフフレームは、
３０７２０・Ｔｓ＝１ｍｓ
の長さの５つのサブフレーム５５５を含む。
【００８２】
タイプ２のフレーム構造は、下りリンクサブフレーム５５５、上りリンクサブフレーム５５５、またはスペシャルサブフレーム５５５である。スペシャルサブフレーム５５５は、下りリンクサブフレーム５５５が先行し、上りリンクサブフレーム５５５が後に続く。スペシャルサブフレーム５５５は、３つの部分、すなわち、ＤｗＰＴＳ、ＧＰおよびＵｐＰＴＳに分割される。ＤｗＰＴＳは、スペシャルサブフレーム５５５の下りリンク部分であり、ＧＰは、ガード期間であり、ＵｐＰＴＳは、スペシャルサブフレーム５５５の上りリンク部分である。
【００８３】
図６は、周期的タイプ２  ＣＳＩ測定／レポーティングのためのＣＳＩ参照リソースを確定する手順を示す。ＣＳＩレポートのＰＭＩおよびＲＩの計算がＣＱＩの値にリンクされる。複数の無線フレーム６５４が示される。各無線フレーム６５４は、０から９の番号を付した１０個のサブフレーム６５５を含む。無線フレーム番号は、システム・フレーム番号（ＳＦＮ：Ｓｙｓｔｅｍ  Ｆｒａｍｅ  Ｎｕｍｂｅｒ）とも呼ばれる。
【００８４】
３ＧＰＰ仕様のリリース１０および１１では、ＵＥ１０４は、ＣＳＩを測定するための２つのサブフレーム・セットを用いて構成される。第１のサブフレーム・セット「ＣＣＳＩ，０」は、本明細書ではＳ１  ６５６と呼ばれる。第２のサブフレーム・セット「ＣＣＳＩ，１」は、本明細書ではＳ２  ６５７と呼ばれる。送信モード１０におけるＵＥ１０４に関しては、１つのサブフレーム６５５がＳ１  ６５６またはＳ２  ６５７のいずれかに属するが、両方には属さない。専用のＲＲＣ構成は、Ｓ３  ６６２と呼ばれるタイプ２チャネル測定のためのサブフレーム６５５のセットを識別できる。１つの例では、ＵＥ１０４は、Ｓ３  ６６２がＣＳＩプロセスに対応するＣＳＩ−ＲＳリソースと関連するサブフレーム６５５のセットと同じであると想定する。別の例では、ＵＥ１０４は、ＣＳＩプロセスに対応するＣＳＩ−ＲＳリソースと関連するサブフレーム６５５のセットとは独立したＳ３  ６６２を用いて構成される。専用のＲＲＣ構成は、Ｓ４と呼ばれるタイプ２干渉測定のためのサブフレーム６５５のセットを識別できる。
【００８５】
Ｓ１  ６５６のための有効な下りリンクサブフレーム６５８が示される。Ｓ２  ６５７のための有効な下りリンクサブフレーム６５９も示される。ＵＥ１０４が参照信号を受信するように構成されたサブフレーム６６０は、「ｚ」とラベル付けされ、ＵＥ１０４による参照信号の観察／測定６６１は、ｍとラベル付けされている。Ｓ３  ６６２のための有効な下りリンクサブフレーム６６３も示される。
【００８６】
タイプ２  ＣＳＩレポートの周期的レポーティングの手順は、１つのＣＳＩプロセスがタイプ１測定／レポーティングおよびタイプ２測定／レポーティングに用いられる場合と、専用のＣＳＩプロセスがタイプ１  ＣＳＩレポーティングまたはタイプ２  ＣＳＩレポーティングのいずれかに用いられる場合とで同じである。専用のＲＲＣ構成は、周期６６６および相対的レポーティング・オフセット６６７を確定する。レポーティング・インスタンス６６４ごとに、ＵＥ１０４は、対応するＣＳＩ参照リソース６６５を識別する。ＵＥ１０４は、次に、ＣＳＩ参照リソース６６５におけるＣＳＩプロセスに対応する非ゼロ電力ＣＳＩ−ＲＳに基づくタイプ２周期的ＣＳＩレポート１２２を生成する。ＵＥ１０４は、タイプ２周期的ＣＳＩレポート１２２を生成するときに、ＣＳＩ参照リソース６６５における干渉測定のための構成されたリソースに少なくとも基づく干渉測定結果をさらに含める。
【００８７】
図では、ＵＥ１０４は、周期６６６が４ｍｓ（４サブフレーム６５５、各サブフレーム６５５が１ｍｓの継続時間を有する）でオフセットが３サブフレーム６５５（または３ｍｓ）の周期的レポーティング用に構成されている。無線フレームｋ＋３の上りリンクサブフレーム７にスケジュールされた周期的タイプ２  ＣＳＩレポーティングに対して、ＵＥ１０４は、タイプ２  ＣＳＩレポーティングのためのＣＳＩ参照リソース６６５が無線フレームｋ＋３におけるサブフレーム３であることを識別する。ＵＥ１０４は、無線フレームｋ＋３のサブフレーム３におけるＣＳＩプロセスに対応する非ゼロ電力ＣＳＩ−ＲＳおよびＣＳＩ−ＲＳリソースに基づく、ＣＳＩ参照リソース６６５（すなわち、無線フレームｋ＋３におけるサブフレーム３）に関する周期的タイプ２  ＣＳＩレポート１２２を生成する。ＵＥ１０４は、タイプ２周期的ＣＳＩレポート１２２を生成するときに、無線フレームｋ＋３のサブフレーム３における干渉測定のための構成されたリソースに少なくとも基づく干渉測定結果も含める。
【００８８】
送信モード１０もしくは送信モード１１（またはタイプ２測定を可能にする任意の送信モード）におけるＵＥ１０４に関して、ＵＥ１０４は、上りリンクサブフレームｎでレポートされ、かつＣＳＩプロセスと関連する構成されたＣＳＩ−ＩＭリソース内におけるサブフレームｎ−ｄｅｌｔａ上のみの干渉測定信号に基づく、ＣＳＩプロセスに対応するＣＱＩ値を計算するための干渉測定結果を導出する。サブフレームｎ−ｄｅｌｔａは、ＣＳＩ参照リソース６６５のサブフレーム（すなわち、サブフレーム「ｎ−ｎＣＱＩ＿ｒｅｆ」）である。この干渉測定は、タイプ２干渉測定と呼ばれる。干渉測定信号は、ゼロ電力ＣＳＩ−ＲＳである。
【００８９】
送信モード１０もしくは送信モード１１（またはタイプ２測定を可能にする任意の送信モード）におけるＵＥ１０４に関して、ＵＥ１０４は、上りリンクサブフレームｎでレポートされ、かつＣＳＩプロセスと関連する構成されたＣＳＩ−ＲＳリソース内におけるサブフレームｎ−ｄｅｌｔａ上のみの非ゼロ電力ＣＳＩ−ＲＳのみに基づく、ＣＳＩプロセスに対応するＣＱＩ値を計算するためのチャネル測定結果を導出する。サブフレームｎ−ｄｅｌｔａは、ＣＳＩ参照リソース６６５のサブフレーム（すなわち、サブフレーム「ｎ−ｎＣＱＩ＿ｒｅｆ」）である。このチャネル測定は、タイプ２チャネル測定と呼ばれる。タイプ２  ＣＳＩ測定は、タイプ２チャネル測定、タイプ２干渉測定結果、または両方を含む。
【００９０】
タイプ１およびタイプ２周期的ＣＳＩレポーティングに関して、「ｎＣＱＩ＿ｒｅｆ」は、サブフレーム「ｎ−ｎＣＱＩ＿ｒｅｆ」が有効な下りリンクサブフレーム６６５に対応するような、ｐ以上の最小値である。ＦＤＤではｐ＝５である。３つまでのＣＳＩプロセスを用いたＴＤＤではｐ＝４である。３つを超えるＣＳＩプロセスを用いたＴＤＤではｐ＝５である。
【００９１】
タイプ１チャネル測定では、ＵＥ１０４は、上りリンクサブフレームｎでレポートされる、ＣＳＩプロセスと関連する構成されたＣＳＩ−ＲＳリソース内の非ゼロ電力ＣＳＩ−ＲＳのみに基づく、（ＣＳＩプロセスに対応する）ＣＱＩ値を計算するためのチャネル測定結果を導出する。
【００９２】
本明細書では、タイプ２  ＣＳＩレポーティングは、ａ）タイプ１チャネル測定結果およびタイプ２干渉測定結果の組み合わせ、ｂ）タイプ２チャネル測定結果およびタイプ２干渉測定結果の組み合わせ、またはｃ）タイプ２チャネル測定結果およびタイプ２干渉測定結果の組み合わせに基づいて計算される。有効な下りリンクサブフレーム６６５は、タイプ１干渉測定のためのサブフレーム６６５のセット中にあってもよい。有効な下りリンクサブフレーム６６５は、ＣＳＩ−ＩＭリソースが構成されたサブフレーム６６５のセット中にもあってもよい。タイプ１干渉測定結果は、ＣＳＩプロセスと関連する構成されたＣＳＩ−ＩＭリソース内におけるゼロ電力ＣＳＩ−ＲＳのみに基づく、（ＣＳＩプロセスに対応する）上りリンクサブフレームｎでレポートされるＣＱＩ値を計算するための干渉測定結果を導出する、ＵＥ１０４によって定義される。タイプ１干渉測定結果とは異なり、タイプ２干渉測定結果は、ＣＳＩプロセスと関連する構成されたＣＳＩ−ＩＭリソース内におけるゼロ電力ＣＳＩ−ＲＳには制限されず、ＣＳＩプロセスと関連する構成されたＣＳＩ−ＩＭリソース内におけるサブフレームｎ−ｄｅｌｔａ上のみの干渉測定信号に基づいてもよい。
【００９３】
図７は、非周期的タイプ２  ＣＳＩ測定／レポーティングのためのＣＳＩ参照リソースを確定する手順を示す。複数の無線フレーム７７５が示される。各無線フレーム７７５は、０から９の番号を付した１０個のサブフレーム７５５を含む。サブフレーム・セットＳ１  ７５６、サブフレーム・セットＳ２  ７５７およびサブフレーム・セットＳ３  ７６２が示される。さらにまた、Ｓ１  ７５６のための有効な下りリンクサブフレーム７５８、Ｓ２  ７５７のための有効な下りリンクサブフレーム７５９、およびＳ３のための有効な下りリンクサブフレーム７６３が示される。
【００９４】
非周期的ＣＳＩレポーティングをトリガするために、ｅＮＢ１０２は、非周期的ＣＳＩレポーティングをリクエストするフィールドを含む上りリンクＤＣＩ（例えば、ＤＣＩフォーマット０または４）を送信する。１つのＣＳＩプロセスがタイプ１  ＣＳＩレポーティングおよびタイプ２  ＣＳＩレポーティングの両方に用いられる場合には、非周期的ＣＳＩレポートがタイプ１のみ、タイプ２のみ、またはタイプ１およびタイプ２  ＣＳＩレポートの両方を含んでもよい。ＣＳＩレポートは、さらに、複数のタイプ２  ＣＳＩレポートを含んでもよい。１つの構成では、下の表６に示されるように、レポートがタイプ２のレポートを含むか否かを１ビットが示すこともできる。
【００９５】
【表６】
0006462589.tif 000008
【００９６】
上の表３に示されるように、ＣＳＩレポートのコレクションをシグナリングするために追加の１もしくは２ビットを用いることができる。タイプインジケータビットを含めないことも可能である。従って、２ビットのＣＳＩリクエスト・フィールドは、下の表７に示されるように、タイプ１、タイプ２またはタイプ１およびタイプ２  ＣＳＩレポートの両方を含んだＣＳＩレポートのセットを示すこともできる。
【００９７】
【表７】
0006462589.tif 000009
【００９８】
ＣＳＩプロセスを１つのみのＣＳＩレポーティング・タイプを用いて構成できる場合には、上りリンクＤＣＩ中にタイプインジケータビットを必要としない。この場合、上りリンクＤＣＩ中のＣＳＩリクエスト・フィールドは、下の表８に示されるように、非周期的ＣＳＩレポートを識別するために用いることができる。
【００９９】
【表８】
0006462589.tif 000010
【０１００】
非周期的ＣＳＩレポートにおけるタイプ２  ＣＳＩレポートの数は、専用のＲＲＣシグナリングによって設定される。
【０１０１】
非周期的タイプ２  ＣＳＩリクエストが送信されるサブフレーム７６９が示される。非周期的ＣＳＩレポーティングのためにスケジュールされたサブフレーム７７０も示される。さらに、ＣＳＩ参照リソース・サブフレーム７７１が示される。Ｘ個のタイプ２  ＣＳＩレポート１２２（すなわち、ｒ１，ｒ２，ｒ３，．．．ｒＸ）がＵＣＩに含まれる非周期的レポーティングに関しては、タイプ２  ＣＳＩレポート１２２ごとに「ｎＣＱＩ＿ｒｅｆ」が評価される。レポートｒ１では、「ｎＣＱＩ＿ｒｅｆ＿１」は、サブフレーム「ｎ−ｎＣＱＩ＿ｒｅｆ＿１」が有効な下りリンクサブフレーム７６３に対応するような、ｐ以上の最小値であり、ｐの候補は、上記の通りである。同様に、レポートｒ２では、「ｎＣＱＩ＿ｒｅｆ＿２」は、サブフレーム「ｎ−ｎＣＱＩ＿ｒｅｆ＿２」が有効な下りリンクサブフレーム７６３に対応するような、「ｎＣＱＩ＿ｒｅｆ＿１」以上の最小値である。「ｎＣＱＩ＿ｒｅｆ＿ｉ」、１＜ｉ≦Ｘ、によって示されるｉ番目のレポート（すなわち、ｒｉ）は、サブフレーム「ｎ−ｎＣＱＩ＿ｒｅｆ＿ｉ」が有効な下りリンクサブフレーム７６３に対応するような、「ｎＣＱＩ＿ｒｅｆ＿ｉ−１」より大きい最小値である。
【０１０２】
下りリンクサブフレーム７５５が有効であると見做されるのは、ａ）下りリンクサブフレーム７５５がそのＵＥ１０４のための下りリンクサブフレーム７５５として構成され、ｂ）送信モード９または１０を除いて、下りリンクサブフレーム７５５が（以下に考察される）ＭＢＳＦＮサブフレームではなく、ｃ）ＤｗＰＴＳの長さが
７６８０・Ｔｓ
以下であるときに、下りリンクサブフレーム７５５がＤｗＰＴＳフィールドを含まず、ｄ）下りリンクサブフレーム７５５がそのＵＥ１０４のために設定された測定ギャップの範囲内にはなく、かつｅ）タイプ１  ＣＳＩレポーティングおよびタイプ２  ＣＳＩレポーティングに関する具体的なパラメータが一致する場合である。タイプ１周期的ＣＳＩレポーティングのために、必要とされる追加の具体的なパラメータは、下りリンクサブフレーム７５５が有効であると見做されるが、そのＵＥ１０４がＣＳＩサブフレーム・セットを用いて構成されたときに、下りリンクサブフレーム７５５は、周期的ＣＳＩレポートにリンクされたＣＳＩサブフレーム・セットの要素であるということである。
【０１０３】
マルチメディアブロードキャスト・マルチキャストサービス（ＭＢＭＳ：ｍｕｌｔｉｍｅｄｉａ  ｂｒｏａｄｃａｓｔ／ｍｕｌｔｉｃａｓｔ  ｓｅｒｖｉｃｅ）ネットワークでは、複数の送信ポイント（ＴＰ：ｔｒａｎｓｍｉｓｓｉｏｎ  ｐｏｉｎｔ）またはｅＮＢ１０２を地理的に含む（ＭＢＭＳサービスエリアと呼ばれる）特定のエリアにおいて、同じコンテンツが同時に送信される。すべての送信ポイント（ＴＰ）の送信が同期された場合、ＵＥ１０４の視点からは、複数の送信が単一の送信ポイント（ＴＰ）から発信するように見える。この送信は、ＭＢＭＢＳ単一周波数ネットワーク（ＭＢＳＦＮ：ＭＢＭＢＳ  ｓｉｎｇｌｅ−ｆｒｅｑｕｅｎｃｙ  ｎｅｔｗｏｒｋ）と呼ばれる。
【０１０４】
タイプ２周期的および非周期的ＣＳＩレポーティングに関して、（サブフレーム７５５が有効な下りリンクサブフレーム７５５であると見做されるために）必要とされる追加の具体的な判定基準は、ａ）下りリンクサブフレーム７５５がタイプ２チャネル測定のためのサブフレーム７５５のセット（すなわち、Ｓ３  ７６２）中にある、ｂ）下りリンクサブフレーム７５５が参照信号（例えば、ＣＳＩプロセスと関連するＣＳＩ−ＲＳリソース）が構成されたサブフレーム７５５のセット中にある、ｃ）タイプ２チャネル測定のためのサブフレーム７５５のセットが構成された場合に、下りリンクサブフレーム７５５がタイプ２チャネル測定のためのサブフレーム７５５のセット中にある、ｄ）下りリンクサブフレーム７５５がタイプ２干渉測定のためのサブフレーム７５５のセット（すなわち、サブセットＳ３  ７６２と同様のサブセットＳ４）中にある、またはｅ）下りリンクサブフレーム７５５がＣＳＩ−ＩＭリソースが構成されたサブフレーム７５５のセット中にあることである。
【０１０５】
タイプ２  ＣＳＩレポートを（例えば、タイプ１チャネル測定結果およびタイプ２干渉測定結果に基づいて、タイプ２チャネル測定結果およびタイプ２干渉測定結果に基づいて、またはタイプ２チャネル測定結果およびタイプ１干渉測定結果に基づいて）計算するための方法に依存して、有効な下りリンクサブフレーム７５５を確定するために上記の判定基準の組み合わせを適用できる。
【０１０６】
例として、ＵＥ１０４は、無線フレームｋ＋３のサブフレーム１において非周期的ＣＳＩレポーティング・リクエストをもつ上りリンクＤＣＩを受信する。無線フレームｋ＋３のサブフレーム６における非周期的ＣＳＩレポートの送信のために、ＰＵＳＣＨリソースがスケジュールされる。そのうえ、ＵＥ１０４は、非周期的ＣＳＩレポーティングの際に２つのタイプ２  ＣＳＩレポート１２２を含めるようにＲＲＣシグナリングによって構成される。ＵＥ１０４は、（例えば、上記の「ｎＣＱＩ＿ｒｅｆ」および有効な下りリンクサブフレーム７７５の定義に基づいて）（無線フレームｋ＋２のサブフレーム８である）第１のタイプ２  ＣＳＩレポート１２２のためのＣＳＩ参照リソース７７１と、（無線フレームｋ＋２のサブフレーム９である）第２のタイプ２  ＣＳＩレポート１２２のための第２のＣＳＩ参照リソース７７１とを識別する。
【０１０７】
ＵＥ１０４は、無線フレームｋ＋２のサブフレーム８におけるＣＳＩプロセスに対応する構成されたＣＳＩ−ＲＳ内の非ゼロ電力ＣＳＩ−ＲＳに基づく第１のタイプ２  ＣＳＩレポート１２２を生成してもよい。ＵＥ１０２は、第１のタイプ２  ＣＳＩレポート１２２を生成するときに、無線フレームｋ＋２のサブフレーム８における干渉測定のための構成されたリソースに少なくとも基づく干渉測定結果をさらに含めてもよい。ＵＥ１０４は、さらに、無線フレームｋ＋２のサブフレーム９におけるＣＳＩプロセスに対応する構成されたＣＳＩ−ＲＳリソース内の非ゼロ電力ＣＳＩ−ＲＳに基づく第２のタイプ２  ＣＳＩレポート１２２を生成してもよい。ＵＥ１０４は、第２のタイプ２  ＣＳＩレポート１２２を生成するときに、無線フレームｋ＋２のサブフレーム９における干渉測定のための構成されたリソースに少なくとも基づく干渉測定結果を含めてもよい。この例では、タイプ２チャネル測定とタイプ１干渉測定との組み合わせが用いられる。しかしながら、同様の方法は、さらに、Ｓ３  ７６２のための有効な下りリンクサブフレーム７６３をＳ４（示されない）のための有効な下りリンクサブフレームに置き換えることによって、タイプ１チャネル測定とタイプ２干渉測定との組み合わせに適用されてもよい。ＵＥ１０４は、無線フレームｋ＋２のサブフレーム８におけるＣＳＩプロセスに対応するＣＳＩ−ＩＭリソースに基づいて第１のタイプ２  ＣＳＩレポート１２２を生成してもよい。ＵＥ１０４は、さらに、無線フレームｋ＋２のサブフレーム９におけるＣＳＩプロセスに対応するＣＳＩ−ＩＭに基づいて第２のタイプ２  ＣＳＩレポート１２２を生成してもよい。さらに、同様の方法は、チャネル測定および干渉測定の両方に関する判定基準を考慮し、有効な下りリンクサブフレーム７５５であるＣＳＩ参照リソース上のタイプ２チャネル測定とタイプ２干渉測定との組み合わせを用いて適用されてもよい。
【０１０８】
図８は、端末装置（ＵＥ）８０４において利用される様々なコンポーネントを示す。端末装置（ＵＥ）８０４は、前に示された端末装置（ＵＥ）１０４のように利用されてもよい。端末装置（ＵＥ）８０４は、端末装置（ＵＥ）８０４のオペレーションを制御するプロセッサ８５４を含む。プロセッサ８５４は、ＣＰＵとも呼ばれる。メモリ８７４は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）の両方、または情報を記憶する任意のタイプのデバイスを含み、プロセッサ８５４に命令８５６ａおよびデータ８５８ａを供給する。メモリ８７４の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでよい。命令８５６ｂおよびデータ８５８ｂは、プロセッサ８５４内にも存在する。プロセッサ８５４に読み込まれた命令８５６ｂおよび／またはデータ８５８ｂは、プロセッサ８５４による実行または処理のために読み込まれた、メモリ８７４からの命令８５６ａおよび／またはデータ８５８ａも含んでよい。命令８５６ｂは、本明細書に開示されるシステムおよび方法を実装するためにプロセッサ８５４によって実行される。
【０１０９】
端末装置（ＵＥ）８０４は、データの送受信を可能にするための送信機８７２および受信機８７３を含んだ筺体も含む。送信機８７２および受信機８７３は、トランシーバ８７１に組み合わされてもよい。１つ以上のアンテナ８０６ａ〜ｎは、筺体に取り付けられて、トランシーバ８７１に電気的に結合される。アンテナポートは、１つ以上のアンテナによって実現される。
【０１１０】
端末装置（ＵＥ）８０４の様々なコンポーネントは、データバスに加えて、電力バス、制御信号バス、およびステータス信号バスを含む、バスシステム８７７によって結合される。しかしながら、明確さのために、図８では様々なバスがバスシステム８７７として示される。端末装置（ＵＥ）８０４は、信号処理用のデジタル信号プロセッサ（ＤＳＰ：ｄｉｇｉｔａｌ  ｓｉｇｎａｌ  ｐｒｏｃｅｓｓｏｒ）８７５も含んでよい。端末装置（ＵＥ）８０４は、端末装置（ＵＥ）８０４の機能へのユーザ・アクセスを提供する通信インターフェース８７６も含んでよい。図８に示される端末装置（ＵＥ）８０４は、具体的なコンポーネントのリスティングではなく、機能ブロック図である。
【０１１１】
図９は、ｅＮＢ９０２において利用される様々なコンポーネントを示す。ｅＮＢ９０２は、前に示されたｅＮｏｄｅＢ１０２のように利用されてもよい。ｅＮＢ９０２は、端末装置（ＵＥ）８０４に関して先に考察したコンポーネントと同様のコンポーネントを含み、プロセッサ９７８、プロセッサ９７８に命令９７９ａおよびデータ９８０ａを供給するメモリ９８６、プロセッサ９７８内に存在するかまたはプロセッサ９７８に読み込まれた命令９７９ｂおよびデータ９８０ｂ、（トランシーバ９８１に組み合わされてもよい）送信機９８２および受信機９８４を含んだ筐体、トランシーバ９８１に電気的に結合された１つ以上のアンテナポート９０８ａ〜ｎ、バスシステム９９２、信号処理用のＤＳＰ９８８、通信インターフェース９９０、アンテナ９１０ａ〜ｎなどを含む。
【０１１２】
特に断りのない限り、上記の「／」の使用は、語句「および／または」を表す。
【０１１３】
本明細書に記載される機能は、ハードウェア、ソフトウェア、ファームウェアまたはそれらの任意の組み合わせで実装される。ソフトウェアで実装される場合、これらの機能は、コンピュータ可読媒体上の１つ以上の命令として記憶される。用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるかまたは記憶するために用いることができて、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０１１４】
本明細書に開示されるそれぞれの方法は、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特許請求の範囲から逸脱することなく、特定のステップおよび／または動作の順序および／または使用が修正されてもよい。
【０１１５】
本明細書では、用語「確定（ｄｅｔｅｒｍｉｎｉｎｇ）」は、多種多様な動作を包含し、従って、「確定」は、算出、計算、処理、導出、調査、検索（例えば、表、データベースまたは他のデータ構造における検索）、確認などを含むことができる。加えて、「確定」は、受信（例えば、情報の受信）、評価（例えば、メモリにおけるデータへのアクセス）などを含むことができる。さらに、「確定」は、解決、選択、選出、確立などを含むことができる。
【０１１６】
語句「に基づく（ｂａｓｅｄ  ｏｎ）」は、明示的に別に指定されない限り、「にのみ基づく（ｂａｓｅｄ  ｏｎｌｙ  ｏｎ）」を意味するわけではない。言い換えれば、語句「に基づく」は、「にのみ基づく」も「に少なくとも基づく」も記述する。
【０１１７】
用語「プロセッサ」は、汎用プロセッサ、中央処置装置（ＣＰＵ：ｃｅｎｔｒａｌ  ｐｒｏｃｅｓｓｉｎｇ  ｕｎｉｔ）、マイクロプロセッサ、デジタル信号プロセッサ（ＤＳＰ）、コントローラ、マイクロコントローラ、状態機械などを包含すると広く解釈すべきである。いくつかの状況下では、「プロセッサ」は、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、プログラマブルロジックデバイス（ＰＬＤ：ｐｒｏｇｒａｍｍａｂｌｅ  ｌｏｇｉｃ  ｄｅｖｉｃｅ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）などを指す。用語「プロセッサ」は、処理デバイスの組み合わせ、例えば、ＤＳＰとマイクロプロセッサとの組み合わせ、複数のマイクロプロセッサ、ＤＳＰコアと連結した１つ以上のマイクロプロセッサまたは任意の他のかかる構成を指す。
【０１１８】
用語「メモリ」は、電子情報を記憶できる任意の電子部品を包含すると広く解釈すべきである。用語「メモリ」は、様々なタイプのプロセッサ可読媒体、例えば、ランダムアクセスメモリ（ＲＡＭ）、リードオンリメモリ（ＲＯＭ）、不揮発性ランダムアクセスメモリ（ＮＶＲＡＭ）、プログラマブルリードオンリメモリ（ＰＲＯＭ：ｐｒｏｇｒａｍｍａｂｌｅ  ｒｅａｄ−ｏｎｌｙ  ｍｅｍｏｒｙ）、消去可能プログラマブルリードオンリメモリ（ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ）、電気的消去可能ＰＲＯＭ（ＥＥＰＲＯＭ：ｅｌｅｃｔｒｉｃａｌｌｙ  ｅｒａｓａｂｌｅ  ＰＲＯＭ）、フラッシュメモリ、磁気的または光学的データ記憶装置、レジスタなどを指す。プロセッサがメモリから情報を読み出す、および／またはメモリに情報を書き込むことができる場合、メモリは、プロセッサと電子通信を行うと言われる。メモリは、プロセッサと一体をなしてもよく、それでもなおプロセッサと電子通信を行うと言われる。
【０１１９】
用語「命令」および「コード」は、任意のタイプのコンピュータ可読ステートメント（単数または複数）を含むと広く解釈すべきである。例えば、用語「命令」および「コード」は、１つ以上のプログラム、ルーチン、サブルーチン、機能、手順などを指す。「命令」および「コード」は、単一のコンピュータ可読ステートメントまたは多くのコンピュータ可読ステートメントを備えてもよい。
【０１２０】
ソフトウェアもしくは命令は、さらに、伝送媒体を通じて送信されてもよい。例えば、ソフトウェアが、同軸ケーブル、光ファイバケーブル、ツイストペア、デジタル加入者回線（ＤＳＬ：ｄｉｇｉｔａｌ  ｓｕｂｓｃｒｉｂｅｒ  ｌｉｎｅ）、あるいは赤外線、無線およびマイクロ波のようなワイヤレス技術を用いて、ウェブサイト、サーバ、または他の遠隔ソースから送信される場合には、同軸ケーブル、光ファイバケーブル、ツイストペア、ＤＳＬ、あるいは赤外線、無線およびマイクロ波のようなワイヤレス技術が伝送媒体の定義に含まれる。
【０１２１】
当然のことながら、特許請求の範囲は、先に示された通りの構成および構成要素には限定されない。特許請求の範囲から逸脱することなく、本明細書に記載される配置、オペレーション、ならびにシステム、方法、および装置の詳細に様々な修正、変更および変形がなされてもよい。
【図１】
0006462589.tif 000011
【図２】
0006462589.tif 000012
【図３】
0006462589.tif 000013
【図４】
0006462589.tif 000014
【図５】
0006462589.tif 000015
【図６】
0006462589.tif 000016
【図７】
0006462589.tif 000017
【図８】
0006462589.tif 000018
【図９】
0006462589.tif 000019